(57)【要約】【課題】ヘルメットに２以上の装備品を、低コストにて安定して装着することができるヘルメット用装着用具を提供すること。【解決手段】ヘルメットの外周に巻き付けられ当該ヘルメットに第一装備品を装備するための第一バンドに対して、上記ヘルメットの両側部の所定箇所にて対となって着脱自在に装着された各係止部材と、上記各係止部材に対してそれぞれ回転自在に係合する各回転係合部材と、を備える。そして、上記各回転係合部材は、上記ヘルメットに装備される第二装備品の両端に連結された伸縮自在な各第二バンドの端部が連結される連結部を有する。さらに、上記係止部材は、上記第一バンドが挿通可能な第一バンド用挿通穴を係止部材自体の両端付近に対となって備え、当該係止部材自体の両端部分にそれぞれ隣接する上記第一バンド用挿通穴に通ずる切り込みを形成した、いう構成をとる。【選択図】図４
2011111683.tif 000002
【特許請求の範囲】
【請求項１】
ヘルメットの外周に巻き付けられ当該ヘルメットに第一装備品を装備するための第一バンドに対して、前記ヘルメットの両側部の所定箇所にて対となって着脱自在に装着された各係止部材と、
前記各係止部材に対してそれぞれ回転自在に係合する各回転係合部材と、を備え、
前記各回転係合部材は、前記ヘルメットに装備される第二装備品の両端に連結された伸縮自在な各第二バンドの端部が連結される連結部を有する、
ヘルメット用装着用具。
【請求項２】
請求項１に記載のヘルメット用装着用具であって、
前記係止部材は、前記第一バンドが挿通可能な第一バンド用挿通穴を係止部材自体の両端付近に対となって備え、当該係止部材自体の両端部分にそれぞれ隣接する前記第一バンド用挿通穴に通ずる切り込みを形成した、
ヘルメット用装着用具。
【請求項３】
請求項２に記載のヘルメット用装着用具であって、
前記係止部材は、所定の厚みを有する略四角形状の略板状部材にて形成されており、当該板状部材表面の中央箇所から突出して前記回転係合部材を回転自在に軸支して保持する軸支部を有し、当該板状部材の両端付近に前記各第一バンド用挿通穴を形成すると共に当該板状部材の両端となっている対となる各辺部分に前記切り込みを形成した、
ヘルメット用装着用具。
【請求項４】
請求項１乃至３のいずれか一項に記載のヘルメット用装着用具であって、
前記回転係合部材の前記連結部は、前記第二装備品に連結された前記第二バンドが挿通する第二バンド用挿通穴を有しており、当該第二バンド用挿通穴の内側面から当該挿通穴内に突出して前記第二バンドが巻き付けられる被巻き付け部を有する、
ヘルメット用装着用具。
【請求項５】
請求項４に記載のヘルメット用装着用具であって、
前記回転係合部材の前記被巻き付け部は、前記第二バンド用挿通穴内において相互に対向する各内側面からそれぞれ相互に対向して突出する一対の突出部材にて構成されており、当該一対の突出部材の各突出端は相互に離間している、
ヘルメット用装着用具。
【請求項６】
請求項１乃至５に記載の前記ヘルメット用装着用具と、
前記ヘルメット装着用具を構成する前記各回転係合部材に連結された前記各第二バンドと、
前記各第二バンドに連結された前記第二装備品と、
を備えたヘルメット用装備品。
【請求項７】
請求項６に記載のヘルメット用装備品と、
ヘルメットの外周に巻き付けられ当該ヘルメットに第一装備品を装備するための前記第一バンドと、
を備えたヘルメット。
【発明の詳細な説明】
【技術分野】
【０００１】
本発明は、ヘルメット用装着用具にかかり、特に、ヘルメットに２以上の装備品を装備する場合に利用するヘルメット用装着用具に関する。
【背景技術】
【０００２】
消防士や工事現場の作業員などは、作業場所において頭部を保護するためにヘルメットを着用している。そして、作業が夜間など暗い場所である場合には、ヘルメットにライトを装着し、当該ライトにて前方を照光することが行われている。また、作業場所が埃っぽい場合など、目を保護する必要がある場合には、上記ライトに加え、ヘルメットにゴーグルを装着し、ゴーグルで目を覆うことが行われている。そして、通常、ゴーグルやライトといった装備品を１つのみ装備する場合には、ヘルメットの周囲にバンドを巻き、当該バンドにゴーグルなどの装備品を装備している。
【先行技術文献】
【特許文献】
【０００３】
【特許文献１】実用新案登録第３１１３７１８号公報
【発明の概要】
【発明が解決しようとする課題】
【０００４】
ところが、ライトとゴーグルというように、２つ以上の装備品をヘルメットに装着する場合には、当該ヘルメットの周囲に、それぞれが装備された各バンドを巻く必要がある。つまり、ヘルメットの周囲に２以上のバンドが巻き付けられる。すると、ヘルメットの周囲には２本のバンドが重なって装着されることとなり、一方のバンドを装着したり、取り外す際に、他方のバンドの位置がずれることが生じる。すると、２つ以上の装備品を安定して装着することが困難となる。
【０００５】
ここで、特許文献１には、ヘルメットの周囲の数か所に穴を形成し、この穴にライトやゴーグルなどの装備品を装着することが開示されている。しかしながら、上記特許文献１に開示の技術では、高価なヘルメットの周囲に複数の穴を形成する必要があるため、導入コストが高くなる、という問題が生じる。
【０００６】
このため、本発明の目的は、ヘルメットに２以上の装備品を、低コストにて安定して装着することができるヘルメット用装着用具を提供することにある。
【課題を解決するための手段】
【０００７】
かかる目的を達成するため本発明の一形態であるヘルメット用装着用具は、
ヘルメットの外周に巻き付けられ当該ヘルメットに第一装備品を装備するための第一バンドに対して、上記ヘルメットの両側部の所定箇所にて対となって着脱自在に装着された各係止部材と、
上記各係止部材に対してそれぞれ回転自在に係合する各回転係合部材と、を備える。
そして、上記各回転係合部材は、上記ヘルメットに装備される第二装備品の両端に連結された伸縮自在な各第二バンドの端部が連結される連結部を有する、
という構成をとる。
【０００８】
また、上記ヘルメット用装着用具では、
上記係止部材は、上記第一バンドが挿通可能な第一バンド用挿通穴を係止部材自体の両端付近に対となって備え、当該係止部材自体の両端部分にそれぞれ隣接する上記第一バンド用挿通穴に通ずる切り込みを形成した、
という構成をとる。
【０００９】
また、上記ヘルメット用装着用具では、
上記係止部材は、所定の厚みを有する略四角形状の略板状部材にて形成されており、当該板状部材表面の中央箇所から突出して上記回転係合部材を回転自在に軸支して保持する軸支部を有し、当該板状部材の両端付近に上記各第一バンド用挿通穴を形成すると共に当該板状部材の両端となっている対となる各辺部分に上記切り込みを形成した、
という構成をとる。
【００１０】
また、上記ヘルメット用装着用具では、
上記回転係合部材の上記連結部は、上記第二装備品に連結された上記第二バンドが挿通する第二バンド用挿通穴を有しており、当該第二バンド用挿通穴の内側面から当該挿通穴内に突出して上記第二バンドが巻き付けられる被巻き付け部を有する、
という構成をとる。
【００１１】
さらに、上記ヘルメット用装着用具では、
上記回転係合部材の上記被巻き付け部は、上記第二バンド用挿通穴内において相互に対向する各内側面からそれぞれ相互に対向して突出する一対の突出部材にて構成されており、当該一対の突出部材の各突出端は相互に離間している、
という構成をとる。
【００１２】
ここで、上記構成のヘルメット用装着用具の作用、効果について説明する。まず、ヘルメットには、第一装備品を装備するための第一バンドが、当該ヘルメットの周囲に巻き付けられている。そして、ヘルメットに第二装備品を装備する際には、ヘルメット両側部の所定箇所にて、ヘルメット周囲に巻き付けられた上記第一バンドに係止部材をそれぞれ装着する。具体的に、係止部材の両端に形成された各第一バンド用挿通穴に第一バンドを挿通することで、当該第一バンドに対して各係止部材を後付することができる。このとき、係止部材の両端付近に、隣接する第一バンド用挿通穴に通ずる切り込みを形成することで、この切り込みを通過させて第一バンドを第一バンド用挿通穴に挿通することができる。このため、第一バンドをヘルメットに巻き付けたままの状態で、係合部材の装着を容易に行うことができる。続いて、ヘルメットに装備する第二装備品の両端にそれぞれ連結された各第二バンドの端部が連結された各回転係合部材を、上述したようにヘルメットの両側部に装着した各係止部材に対して回転自在に装着する。
【００１３】
これにより、第二装備品をヘルメットの表面に装着したり、当該ヘルメットをかぶっている人間の顔に装着するなど、第二装備品を上下動させると、当該第二装備品に連結された各第二バンドが各係止部材を中心に回転する。このため、事前に装備されている第一装備品の第一バンドの位置がずれたりヘルメットから外れることを防止することができ、容易に第二装備品の装着位置を変更することができる。従って、ヘルメットに対して２以上の装備品を安定して装着することができる。さらに、上記構成は簡易であり、かつ、第一バンドに対して後付可能であるため、低コストにて実現可能である。
【００１４】
また、本発明では、上述したヘルメット用装着用具と、
上記ヘルメット装着用具を構成する上記各回転係合部材に連結された上記各第二バンドと、
上記各第二バンドに連結された上記第二装備品と、
を備えたヘルメット用装備品を提供している。
【００１５】
さらに、本発明では、上記ヘルメット用装備品と、
ヘルメットの外周に巻き付けられ当該ヘルメットに第一装備品を装備するための上記第一バンドと、
を備えたヘルメットを提供している。
【００１６】
上述した構成を有するヘルメット用装備品及びヘルメットの発明であっても、上記ヘルメット用装着用具と同様の作用を有するために、上述した本発明の目的を達成することができる。
【発明の効果】
【００１７】
本発明は、以上のように構成されることにより、低コストかつ容易に、ヘルメットに対して２以上の装備品を安定して装着することができる。
【図面の簡単な説明】
【００１８】
【図１】ヘルメットの構成を示す外観図である。
【図２】ヘルメットの構成を示す外観図であり、２つの装備品を装着するときの様子を示す図である。
【図３】ヘルメットの構成を示す外観図であり、２つの装備品を装着するときの様子を示す図である。
【図４】ヘルメットの構成を示す外観図であり、２つの装備品を装着するときの様子を示す図である。
【図５】ヘルメットの構成を示す外観図であり、２つの装備品を装着するときの様子を示す図である。
【図６】ヘルメット用装着用具を構成する部品の構成を示す図である。
【図７】図６に開示したヘルメット用装着用具を構成する部品をヘルメットに取り付けるときの様子を示す図である。
【図８】ヘルメット用装着用具を構成する部品の構成を示す図である。
【図９】図８に開示したヘルメット用装着用具を構成する部品をヘルメットに取り付けるときの様子を示す図である。
【図１０】ヘルメット用装着用具を構成する部品の構成を示す図である。
【図１１】図１０に開示したヘルメット用装着用具を構成する部品をヘルメットに取り付けるときの様子を示す図である。
【図１２】図６と図８に開示したヘルメット装着用具を構成する部品を組み付け、ヘルメットに取り付けるときの様子を示す図である。
【発明を実施するための形態】
【００１９】
本発明の実施形態を、図１乃至図１２を参照して説明する。図１乃至図５は、ヘルメットの構成を示す外観図であり、２つの装備品を装着するときの様子を示す図である。図６乃至図１２は、ヘルメット装着用具を構成する部品の構成を示す図であり、当該部品をヘルメットに取り付けるときの様子を示す図である。
【００２０】
まず、図１は、ヘルメットＨの構成を示す図である。この図に示すように、ヘルメットＨには、予め第一装備品として、ライトＬを装備している。具体的には、ライトＬは、第一バンドであるシリコンゴムバンドＢ１に装着されており、このシリコンゴムバンドＢ１がヘルメットＨの周囲に巻き付けられている。これにより、ライトＬをヘルメットＨの周囲の前方に装備している。なお、ライトＬをヘルメットＨに装備するためにシリコンゴムバンドＢ１を用いることで、その伸縮性によりシリコンゴムバンドＢ１がヘルメットＨの周囲にきつく巻き付けられた状態となり、また、シリコンゴムバンドＢ１とヘルメットＨの表面との間に強い摩擦力が生じ、シリコンゴムバンドＢ１の位置がヘルメットＨに対してずれることを抑制している。
【００２１】
なお、ヘルメットＨに予め装備されている第一装備品は、ライトＬであることに限定されない。また、第一装備品Ｌを装備するためにヘルメットＨに巻き付けられる第一バンドＢ１は、シリコンゴム製であることに限定されず、いかなる材料で形成されたものであってもよい。但し、第一バンドＢ１は、ヘルメットＨの周囲にきつく巻き付けられている必要があり、また、ヘルメットＨとの間に所定の摩擦力が生じて位置ずれを抑制できる材料のものを用いるとよい。
【００２２】
そして、本発明のヘルメット装着用具は、上述したように周囲に第一バンドＢ１が巻き付けられているヘルメットＨに対して、別の第二装備品を装備するためのものである。なお、本実施形態では、図４及び図５に示すように、ヘルメットＨに装備する第二装備品として、ゴーグルＧを一例にあげて説明するが、第二装備品はゴーグルであることに限定されない。
【００２３】
上記ゴーグルＧをヘルメットＨに装着するためのヘルメット装着用具は、図４及び図５に示すように、シリコンゴムバンドＢ１に装着される係止部材１と、この係止部材１に回転自在に係合する回転係合部材２と、を備えている。そして、この回転係合部材２に、ゴーグルＧに連結された第二バンドＢ２が連結されることで、ゴーグルＧをヘルメットＨの前方や当該ヘルメットＨを装着する人間の顔に装着することができる。以下、各構成について詳述する。
【００２４】
まず、係止部材１について、図２、図６、図７を参照して説明する。ここで、図６（Ｂ）は、係止部材の正面図であり、図６（Ａ）はその上面図である。そして、図６（Ｃ）は、図６（Ａ）に示すＡ−Ａ線断面図である。図６に示すように、係止部材１は、所定の厚みを有する略板状部材であり、略長方形形状の部材にて形成されている。但し、長辺方向における両端側から中央付近に向かうにつれて、徐々に厚みが厚くなるよう形成されている。
【００２５】
そして、係止部材１の中心には、図６（Ａ）に示す上面側の表面から上方に突出した円柱形状の軸支部１１が設けられている。この軸支部１１は、図６（Ｂ）に示すように、上端部１１ａの径が最も大きく形成されており、当該上端部１１ａ部分の下方部分には、径が小さく形成されたくびれ部１１ｂが形成されている。
【００２６】
また、係止部材１の両端部分、つまり、略長方形形状の長辺の両端側に位置する各短辺部分１２，１３には、当該各短辺１２，１３に沿って形成された、係止部材１自体の厚み方向に貫通する第一バンド用挿通穴１４，１５がそれぞれ形成されている。具体的に、各第一バンド用挿通穴１４，１５は、係止部材１の短辺部分１２，１３に隣接して所定の幅を有するスリット状に形成されており、その長手方向が、係止部材１自体の短辺に沿って形成されている。そして、スリット状である第一バンド用挿通穴１４，１５は、その幅が上述したシリコンゴムハンドである第一バンドＢ１の厚みよりも広く形成されており、その長さは第一バンドＢ１の幅よりも長い形成されている。
【００２７】
また、係止部材１の両端部分である各短辺部分１２，１３は、それぞれの中央箇所に、各短辺部分１２，１３に隣接する上記各第一バンド用挿通穴１４，１５にそれぞれ通ずる切り込みが形成されている。つまり、図６（Ａ）に示すように、係止部材１の一方の短辺部分１２は中央部分で分離されており（符号１２ａ，１２ｂ参照）、同様に係止部材１の他方の短辺部分１３は、中央部分で分離されて形成されている（符号１３ａ，１３ｂ参照）。
【００２８】
そして、上記係止部材１は、図２及び図７に示すように、ヘルメットＨの側部の所定箇所に装着される。なお、図２では、係止部材１をヘルメットＨの一方の側部にのみ装着している図を示しているが、その反対側の側部にも同様に係止部材１が装着される。つまり、上記係止部材１は、２つで１セットとなり、ヘルメットＨの両側部に対となって装着される。具体的には、まず、係止部材１の各短辺部分１２，１３に形成された各切り込みに、第一バンドＢ１を挿通する。このとき、第一バンドＢ１自体が、第一バンドＢ１を側方から各切り込みに挿通して、その後、第一バンドＢ１の幅方向が、各第一バンド用挿通穴１４，１５の長手方向に位置するよう配置する。さらに、このとき、図７（Ａ），（Ｂ）に示すように、第一バンドＢ１自体が、係止部材１の短辺部分１２，１３では当該係止部材１の上に位置し、係止部材１の中央部分では当該係止部材１の下に位置するよう、第一バンドＢ１を挿通する。
【００２９】
以上のようにして、ヘルメットＨに巻き付けられたシリコンゴムバンドＢ１に対して係止部材１を装着することで、図７（Ｂ）に示すように、係止部材１の短辺部分１２，１３がヘルメットＨとシリコンゴムバンドＢ１との間に挟まれた状態となるため、ヘルメットＨの側部に装着することができる。なお、シリコンゴムバンドＢ１は、ヘルメットＨに対してきつく巻き付けられており、かつ、これらの間に強い摩擦力が発生しているため、係止部材１はヘルメットＨの側部にほぼ固定されて装着されることとなる。
【００３０】
次に、回転係合部材２について、図３、図８、図９を参照して説明する。ここで、図８（Ａ）は、回転係合部材２の上面図であり、図８（Ｂ）は、図８（Ａ）に示すＢ−Ｂ線断面図である。図８に示すように、回転係合部材２は、所定の厚みを有する略板状部材にて形成されており、その長手方向における中央付近で所定の角度にて曲折して形成されている。そして、この曲折箇所を境に、図８（Ａ）における右側部分は、上述した係止部材１に回転自在に係合する係合部２１を形成しており、左側部分は、第二装備品であるゴーグルＧに連結された第二バンドＢ２の端部が連結される連結部２２を形成している。
【００３１】
具体的に、まず、上記係合部２１には、上述した係止部材１の軸支部１１が挿通する軸支穴２３が形成されている。この軸支穴２３は、軸支部１１の上端部１１ａが挿通可能なよう形成された貫通した穴部分２３ａと、これに隣接して連通し、くびれ部１１ｂのみが挿通可能なよう形成された径の小さい貫通した穴部分２３ｂと、により形成されている。そして、くびれ部１１ｂのみが挿通可能な穴部分２３ｂは、一方の表面側（図８（Ａ）で図示する面側、図８（Ｂ）で上方に位置する面側）では、穴の大きさが広く形成されており、上記上端部１１ａが収容可能な大きさに形成されている。
【００３２】
また、回転係合部材２の連結部２２には、略長方形形状の第二バンド用挿通穴２４が形成されている。この第二バンド用挿通穴２４は、上述した軸支穴２３に隣接する辺が長辺となり、当該長辺は、第二バンドＢ２の幅よりもやや長く形成されている。なお、第二バンドＢ２は、上述した第一バンドＢ１と同様にシリコンゴム製であり、伸縮自在に形成されている。
【００３３】
そして、上記第二バンド用挿通穴２４内には、内側面のうち相互に対向する短辺側の各内側面から、それぞれ相互に対向する他方の内側面に向かって突出する突出部材２５ａ，２５ｂが設けられている。具体的に、突出部材２５ａ，２５ｂは、第二バンド用挿通穴２４の各短辺側の内側面の中央から、当該挿通穴２４の長辺に対して平行に突出している。そして、各突出部材２５ａ，２５ｂの各突出端は、中央付近で所定の距離を設けて位置し、相互に離間している。
【００３４】
そして、上記第二バンド用挿通穴２４には、ゴーグルＧに連結された第二バンドＢ２が挿通されることとなるが、当該第二バンドＢ２は、第二バンド用挿通穴２４内にて上記突出部材２５ａ，２５ｂに巻き付けられる。つまり、突出部材２５ａ，２５ｂは、第二バンドＢ２が巻き付けられて当該第二バンドＢ２を固定連結する被巻き付け部２５として機能する。具体的には、図９（Ａ）、（Ｂ）に示すように、回転係合部材２の係合部２１とは反対側の端部側から、当該回転係合部材２の下方側を通って第二バンドＢ２が第二バンド用挿通穴２４に挿通され、当該第二バンド用挿通穴２４内で突出部材２５ａ，２５ｂに巻き付けられて、挿入側と同じ方向に挿出される。なお、第二バンドＢ２を突出部材２５ａ，２５ｂに巻きつける際に当該突出部材２５ａ，２５ｂ間の隙間に第二バンドＢ２を挿通させることで、巻き付け作業が容易となる。
【００３５】
次に、上記第二バンドＢ２とゴーグルＧとを連結するゴーグル連結部材３について、図４、図１０、図１１を参照して説明する。ここで、図１０（Ａ）は、ゴーグル連結部材の上面図であり、図１０（Ｂ）は、図１０（Ａ）に示すＣ−Ｃ線断面図である。なお、ゴーグル連結部材３は、第二バンドＢ２とゴーグルＧなどの第二装備品とを連結する部材であればいかなる構造であってもよいため、以下では簡単に説明する。
【００３６】
図１０に示すように、ゴーグル連結部材３は、所定の厚みを有する略板状部材にて形成されている。そして、図１０（Ａ）における中央部分及び右側部分は、上述した第二バンドＢ２の端部が連結される連結部３１を形成しており、左側部分は、第二装備品であるゴーグルＧ自体を保持するゴーグル保持部３２を形成している。
【００３７】
具体的に、ゴーグル連結部材３の連結部３１には、上述した回転係合部材２と同様に、略長方形形状のバンド用挿通穴３３が形成されており、このバンド用挿通穴３３内には、一対の相互に対向する内側面間を連結して延びる被巻き付け連結部材３４が設けられている。そして、この被巻き付け連結部材３４には、図１１（Ａ），（Ｂ）に示すように、第二バンドＢ２が巻き付けられ、固定連結される。
【００３８】
また、ゴーグル連結部材３のゴーグル保持部３２は、半円弧状に形成されている。この半円弧状であるゴーグル保持部３２の内側に、ゴーグルＧの側端部に設けられた例えば円柱形状のピン部材が引っ掛けられることで、ゴーグルＧが第二バンドＢ２に保持されることとなる。
【００３９】
［利用方法］
次に、上述した構成のヘルメット用装着用具の利用方法について、図１乃至図１２を参照して説明する。まず、図１に示すように、ヘルメットＨには、第一装備品であるライトＬが第一バンドＢ１に取り付けられ、当該第一バンドＢ１がヘルメットＨの周囲に巻き付けられることで装備されている。
【００４０】
そして、このヘルメットＨに第二装備品であるゴーグルＧを装備する際には、図２に示すように、ヘルメットＨの周囲に巻き付けられた上記第一バンドに対して、ヘルメットＨの両側部の所定箇所に、それぞれ係止部材１を装着する。このとき、伸縮するシリコンゴム製の第一バンドＢ１を引っ張って伸ばし、ヘルメットＨと第一バンドＢ１との間に隙間をあけて、当該第一バンドＢ１を係止部材１の第一バンド用挿通穴１４，１５に短辺部分１２，１３の切り欠きから挿通する。これにより、図２及び図７（Ａ），（Ｂ）に示すように、既にヘルメットＨの周囲に装着されている第一バンドＢ１に対して、各係止部材１を後付することができる。
【００４１】
続いて、ヘルメットＨの両側部に装着した各係止部材１に対して、回転係合部材２をそれぞれ装着する。このとき、まず、回転係合部材２に形成された軸支穴２３の大きく形成された穴部分２３ａに、係止部材１に形成された軸支部１１の上端部１１ａを挿通する。その後、軸支部１１を、軸支穴２３の小さく形成された穴部分２３ｂ側にスライドする。これにより、図３、図１２（Ａ），（Ｂ）に示すように、軸支部１１のくびれ部１１ｂを、軸支穴２３の小さく形成された穴部分２３ｂに挿通された状態にすると共に、当該穴部分２３ｂの上方の空間に軸支部１１の上端部１１ａが位置するようにする。これにより、回転係合部材２は、係止部材１から上方に抜けることを防止でき、かつ、軸支部１１を中心に回転自在に軸支される。
【００４２】
そして、上述したようにヘルメットＨの両側部にそれぞれ装着した各回転係合部材２に対して、図４に示すように、ゴーグルＧの両端に連結された各第二バンドＢ２をそれぞれ連結する。このとき、第二バンドＢ２の端部を、図９（Ａ），（Ｂ）、図１２（Ａ），（Ｂ）に示すように、回転係合部材２の第二バンド用挿通穴２４に挿通し、当該第二バンド用挿通穴２４内の突出部材２５ａ，２５ｂに巻き付けて連結する。なお、ゴーグルＧと第二バンドＢ２とは、上述したゴーグル連結部材３を介して事前に連結されている。
【００４３】
ここで、上記では、ヘルメットＨの両側部に装着した係止部材１に対して回転係合部材２を装着した後に、ゴーグルＧに連結された第二バンドＢ２を連結する場合を例示したが、先に、ゴーグル連結部材３に連結された第二バンドＢ２に回転係合部材２を装着してから、当該回転係合部材２をヘルメットＨの両側部に装着した係止部材１に装着してもよい。
【００４４】
その後、図４に示すように、ヘルメットＨ上にゴーグルＧを装着している状態から、当該ヘルメットＨをかぶっている人間の顔に装着する場合には、まず、図４の矢印Ｙ１に示すようにヘルメットＨから離間するようゴーグルＧを引っ張る。すると、第二バンドＢ２は伸縮するシリコンゴム製であるため、矢印Ｙ１方向に伸びる。このとき、係止部材１も矢印Ｙ１方向に引っ張られることとなるが、ヘルメットＨに対してきつくかつ強い摩擦力を発生させて巻き付けられているシリコンゴム製の第一バンドＢ１にて、係止部材１はヘルメットＨに押さえつけられた状態となっているため、当該係止部材１はヘルメットＨの側部にほぼ固定された状態であり、位置のずれは生じない。
【００４５】
その後、矢印Ｙ１に引っ張ったゴーグルＧを、今後は矢印Ｙ２に示すように、下方に移動する。このとき、第二バンドＢ２に連結された回転係合部材２は、係止部材１の軸支部１１を中心に回転する。そして、ゴーグルＧがヘルメットＨをかぶっている人間の目の位置に移動したときに当該ゴーグルＧを引っ張ることをやめ、ヘルメットＨをかぶっている人間の目の位置に移動することで、第二バンドＢ２が収縮し、ゴーグルＧを人間の顔の目の位置に装着することができる。
【００４６】
以上のように、本発明によると、ゴーグルＧを、ヘルメットＨをかぶっている人間の目の位置に円滑に移動させることができると共に、このとき、第一バンドＢ１やすでに装着しているライトＬなどの位置ずれが生じることがない。従って、ヘルメットＨに対して２以上の装備品を安定して装着することができる。さらに、上記構成は簡易であり、かつ、第一バンドＢ１に対して後付可能であるため、低コストにて実現可能である。
【００４７】
なお、上述した構成のうち、係止部材１と、回転係合部材２と、第二バンドＢ２と、ゴーグル連結部材３と、ゴーグルＧと、をセットにして、ヘルメット用装備品としてヘルメットＨを用いる者に提供してもよい。なお、ゴーグルＧは他の装備品でもよく、また、ゴーグル連結部材３は必ずしも必要ではなく、第二バンドＢ２がゴーグルＧなどの他の装備品に直接連結されていてもよい。さらに、上述したヘルメット用装備品と、ヘルメットの外周に巻き付けられたライトＬなどの第一装備品を装備するための第一バンドＢ１と、が装着されたヘルメットＨを、利用者に提供してもよい。
【産業上の利用可能性】
【００４８】
本発明は、消防士や工事現場の作業員などが、作業場所において頭部を保護するために用いるヘルメットにライトやゴーグルなどの装備品を装着する場合に利用することができ、産業上の利用可能性を有する。
【符号の説明】
【００４９】
１      係止部材
１１    軸支部
１１ａ  上端部
１１ｂ  くびれ部
１２，１３  短辺部分
１４，１５  第一バンド用挿通穴
２      回転係合部材
２１    係合部
２２    連結部
２３    軸支穴
２４    第二バンド用挿通穴
２５    被巻き付け部
２５ａ，２５ｂ  突出部材
３      ゴーグル連結部材
３１    連結部
３２    ゴーグル保持部
３３    バンド用挿通穴
３４    連結部材
Ｂ１    第一バンド
Ｂ２    第二バンド
Ｇ      ゴーグル
Ｈ      ヘルメット
Ｌ      ライト
【図１】
2011111683.tif 000003
【図２】
2011111683.tif 000004
【図３】
2011111683.tif 000005
【図４】
2011111683.tif 000006
【図５】
2011111683.tif 000007
【図６】
2011111683.tif 000008
【図７】
2011111683.tif 000009
【図８】
2011111683.tif 000010
【図９】
2011111683.tif 000011
【図１０】
2011111683.tif 000012
【図１１】
2011111683.tif 000013
【図１２】
2011111683.tif 000014